(57)【特許請求の範囲】
【請求項１】
略漏斗状の布サイロ部材と、該布サイロ部材の上方部を支持する支持構造体と、上記布サイロ部材の下端部に入口部を連結され、昇降手段に載置された排出手段と、上記排出手段と上記昇降手段の間にあって、上記排出手段の複数の支持点のうちの少なくとも一つに配置されて、収容物を収容した上記布サイロ部材の最下端部の荷重を測定する荷重測定手段とを有し、上記昇降手段が該荷重測定手段の出力に基づいて上記布サイロ部材の下端部の荷重を所定量にするように構成されていることを特徴とする排出装置付きの布サイロ。
【発明の詳細な説明】
【０００１】
【産業上の利用分野】
本発明は、排出装置付きの布サイロ、さらに詳しくは、布サイロの収容量に関係なく効率よくかつ布サイロの破損の恐れもない排出装置付きの布サイロに関する。
【０００２】
【従来の技術】
従来の布サイロは、収容部が可撓性を有し、連結した排出管等が変位可能であること等の利点があることから、長い間使用されている。そして、従来の布サイロの排出方法としては、布サイロ部材の下端に軽量な横向き排出手段を吊り下げること、布サイロ部材の上方部を釣り上げることにより布サイロ部材の底部を急勾配にして排出すること、布サイロの底部を２重壁構造として複数の画室を形成し、該画室に順次空気を入れて膨らせまることにより急勾配にし皺を無くすること等が提案されている。
【０００３】
【発明が解決しようとする課題】
布サイロは、許容量一杯に収容物を収容すると、布サイロ部材が丸くなって底部が上昇して該底部と排出管の連結部付近が破損する恐れがある一方、収容物が少なくなると布サイロ部材が弛んで底部の排出口の周囲に内容物が残留する恐れが高い。
また、上述した布サイロ部材の下端に収容物排出のための軽量な横向き排出手段を吊り下げる方法は、布サイロ部材の下端部の強度の点から排出装置の重量に制限があり、小型・軽量の排出装置しか吊り下げることができず、派出能力を上げることができない問題があった。
【０００４】
実開昭５７−４９１５７号公報には、エアスライド排出装置のフラッシング防止及び排出制限のためにエアロッカを用いると、エアロッカの重量部が大きいため床上に固定しなければならず、布製サイロが収容量によってその形状を変化させてサイロ本体の荷重がサイロ架構にのみ懸かり他に応力を及ぼさないという利点が失われ、固定されたエアロッカによって布製サイロが破損させられるという問題が記載されている。
実開平６−３２３３４号公報においては、サイロ部材を支持する支持構造が載置された架台内部に、すなわちサイロ部材の下方にスクリュウ排出装置を配置したサイロ装置が開示されている。この装置においては、架台部には内容物が収容されることがないから、嵩高の装置であり、言い換えれば装置全体の容積に対し収容容積が少ない問題がある。
【０００５】
【発明の目的】
本発明は、従来の布サイロに関する上述した問題点に鑑みなされたものであって、布サイロの破損の恐れが少なく、重量の大きい排出装置を使用することができ、排出装置を自由に選択することができ、排出残量も皆無に等しく、定量排出、脈動等のない安定排出、大量排出等の排出性能を飛躍的に向上させる布サイロを提供することを目的とする。
【０００６】
【発明を解決するための手段】
本発明は、略漏斗状の布サイロ部材と、該布サイロ部材の上方部を支持する支持構造体と、上記布サイロ部材の下端部に入口部を連結され、昇降手段に載置された排出手段と、上記排出手段と上記昇降手段の間にあって、上記排出手段の複数の支持点のうちの少なくとも一つに配置されて、収容物を収容した上記布サイロ部材の最下端部の荷重を測定する荷重測定手段とを有し、上記昇降手段が該荷重測定手段の出力に基づいて上記布サイロ部材の下端部の荷重を所定量にするように構成されていることを特徴とする排出装置付きの布サイロである。
【０００８】
【発明の実施の形態】
以下、本発明の第１実施例の排出装置付きの布サイロを図に基づいて説明する。第１実施例の排出装置付きの布サイロ１は、図１に示すように、布サイロ部材４の上方部６を支持構造８によって支持してなる。布サイロ部材４の最下端部の下方には、駆動源が昇降用モータ１０であるネジ水平昇降装置１２に載置されたロータリーフィーダ１６が連結されている。ネジ水平昇降装置１２とロータリーフィーダ１６との間には、ロードセルＬが配置されている。ロードセルＬは、ロータリーフィーダ１６の複数の支持点のうちの少なくとも一つに配置される。昇降用モータ１０は、ロードセルＬの出力に基づき、制御器（図示せず）を介して布サイロ部材４の最下端部への荷重が一定値例えば４０ｋｇであるように制御される。
【０００９】
布サイロ部材４には、所望により、下端部分を二重にし、その間に空気を吹き込むことによって、排出口付近の粉体、流体等を流動化させるエアスラアイド装置を設置する。
【００１０】
第２実施例の排出装置付きの布サイロ１００は、図２に示すように、布サイロ部材１０４の最下端部の下方に、駆動源がホイスト１０６であるワイヤ昇降装置１０８に載置されたロータリーフィーダ１１０が連結されている。ワイヤ水平昇降装置１０８とロータリーフィーダ１１０との間には、ロードセルＬが配置されている。ロードセルＬは、ロータリーフィーダ１１０の複数の支点のうちの少なくとも一つに配置される。ホイスト１０６は、ロードセルＬの出力に基づき、制御器（図示せず）を介して布サイロ部材１０４の最下端部への荷重が一定値であるように制御される。
【００１１】
第３実施例の排出装置付きの布サイロ２００は、図３に示すように、布サイロ部材２０４の最下端部の下方に、シーソー式昇降装置２０８に載置されたロータリーフィーダ２１０が連結されている。シーソー式昇降装置２０８は一定の変位範囲内で布サイロ部材１０４の最下端部への荷重を一定にすることができる。
【００１２】
第４実施例の排出装置付きの布サイロ３００は、図４に示すように、布サイロ部材３０４の最下端部の下方に、おもり式昇降装置３０８に載置されたロータリーフィーダ３１６が連結されている。おもり式昇降装置３０８は、減速機３１０の巻き上げドラム３２０に巻き付けられたワイヤ３２１に例えば３００ｋｇのおもり３２２を連結し、減速機３１０の出力ドラム３２４に巻き付けられたワイヤ３２６を水平昇降台部材３２８に連結してなる。
【００１３】
第５実施例の排出装置付きの布サイロ４００は、図５に示すように、布サイロ部材４０４の最下端部の下方に、油圧式昇降装置４０８に載置されたロータリーフィーダ４１０が連結されている。油圧式昇降装置４０８は、パスカルの原理を応用した構成であって、第１油圧シリンダー４２０に例えば２０００ｋｇのおもり４２２を負荷し、第１油圧シリンダー４２０に連結された第２油圧シリンダー４２４が水平昇降台部材４２６を昇降させる。
【００１４】
第６実施例の排出装置付きの布サイロ５００は、図６に示すように、布サイロ部材５０４の上方部を支持構造５０８によって支持してなる。布サイロ部材５０４の最下端部の下方には、油圧式昇降装置５１０に載置されたロータリーフィーダ５１６が連結されている。油圧式昇降装置５１０とロータリーフィーダ５１６との間には、ロードセルＬが配置されている。油圧発生装置５２０は、ロードセルＬの出力に基づき、制御器（図示せず）を介して布サイロ部材５０４の最下端部への荷重が所定値であるように制御される。
【００１５】
上記いずれの実施例においても布サイロ部材の下端部にロータリーフィーダを配置しているが、ロータリーフィーダに替えてバイブロデイスチャージャー、振動フィーダ、スクリュウフィーダ、チエーンコンベヤーを配置しても本発明を有効に実施することができる。
【００１６】
【発明の効果】
本発明の排出装置付きの布サイロによれば、布サイロの破損の恐れが少なく、重量の大きい排出装置を使用することができ、排出装置を自由に選択することができ、排出残量も皆無に等しく、定量排出、脈動等のない安定排出、大量排出等の排出性能を飛躍的に向上させる布サイロを提供すること効果を有する。
【図面の簡単な説明】
【図１】本発明の第１実施例の排出装置付きの布サイロの側面図である。
【図２】本発明の第２実施例の排出装置付きの布サイロの側面図である。
【図３】本発明の第３実施例の排出装置付きの布サイロの側面図である。
【図４】本発明の第４実施例の排出装置付きの布サイロの側面図である。
【図５】本発明の第５実施例の排出装置付きの布サイロの側面図である。
【図６】本発明の第６実施例の排出装置付きの布サイロの側面図である。
【符号の説明】
Ｌ          ロードセル
１          排出装置付きの布サイロ
４          布サイロ部材
６          上方部
８          支持構造
１０        昇降用モータ
１２        ネジ水平昇降装置
１６        ロータリーフィーダ
１０６      ホイスト
１０８      ワイヤ水平昇降装置
１１０      ロータリーフィーダ
２０８      シーソー式昇降装置
３０８      おもり式昇降装置
３１０      減速機
３２４      出力ドラム
３２６      水平昇降台部材
４０８      油圧式昇降装置
【図１】
0003892941.tif 000002
【図２】
0003892941.tif 000003
【図３】
0003892941.tif 000004
【図４】
0003892941.tif 000005
【図５】
0003892941.tif 000006
【図６】
0003892941.tif 000007